(57)【要約】【課題】装置内の他の機構の駆動によって当該装置に悪影響を与えることなく、搬送ローラ対に当接された記録用紙をニップすることが可能な画像記録装置を提供する。【解決手段】駆動伝達されてポンプ５４によってインクが吸引される第１状態、及び駆動伝達されてもポンプ５４によってインクが吸引されない第２状態に切換可能なポート切換機構５９と、駆動源の所定回転向きの駆動を第１搬送ローラ６０及びポンプ５４へ伝達し、逆向きの駆動を第１搬送ローラ６０及びポート切換機構５９へ伝達する駆動伝達機構と、制御部１３０とを具備する。制御部１３０は、手差しトレイ２０への記録用紙載置が検知されたことを条件として、駆動源を逆向き駆動させてポート切換機構５９を第２状態に切り換えた後、駆動源を所定回転向きに駆動させて第１搬送ローラ６０とピンチローラ６１の間に記録用紙をニップさせる【選択図】図２
2014000827.tif 000002
【特許請求の範囲】
【請求項１】
シートが載置される第１トレイと、
正逆転可能な駆動源と、
シートの搬送路に配設された搬送ローラ対であって、上記第１トレイに載置されるシートの先端をニップ可能な搬送ローラ対と、
上記駆動源から駆動伝達されて当該装置の機能実現動作を行う駆動機構と、
上記駆動源から駆動伝達されて上記駆動機構が上記機能実現動作を行う第１状態、及び上記駆動源から駆動伝達されても上記駆動機構が上記機能実現動作を行わない第２状態に切換可能な切換機構と、
上記駆動源の正転又は逆転のいずれか一方の駆動を上記搬送ローラ対及び上記駆動機構へ伝達し、かつ他方の駆動を上記搬送ローラ対及び上記切換機構へ伝達する駆動伝達機構と、
上記第１トレイに載置されたシートの有無を検知するシート検知部と、
上記シート検知部によって上記第１トレイにシートが載置されていることが検知されたことを条件として、上記駆動源を正転又は逆転の他方へ駆動させて上記切換機構を第２状態に切り換えた後、上記駆動源を正転又は逆転の一方へ駆動させて上記搬送ローラ対に当該シートをニップさせる制御機構と、を具備する画像記録装置。
【請求項２】
ノズルからインク滴を吐出する記録ヘッドと、
上記記録ヘッドと密着して上記ノズルを覆う第１姿勢、及び上記記録ヘッドから離間する第２姿勢に姿勢変化するキャップと、を更に備え、
上記駆動機構は、
上記キャップと連通されて上記ノズルからインクを吸引する吸引機構と、を備え、
上記機能実現動作は、
上記吸引機構によるインクの吸引であり、
上記切換機構は、
上記キャップと上記吸引機構とが連通される第１状態と上記キャップと上記吸引機構との連通が遮断される第２状態とに切換可能なものである請求項１に記載の画像記録装置。
【請求項３】
上記切換機構の状態を検知する切換検知部、を更に備え、
上記制御機構は、上記シート検知部によって上記第１トレイにシートが載置されていることが検知されたときに、上記切換検知部によって上記切換機構が上記第２状態であることが検知されたことを条件として、上記駆動源を正転又は逆転の他方へ駆動させることなく正転又は逆転の一方へ駆動させて、上記搬送ローラ対に当該シートをニップさせる請求項１または２に記載の画像記録装置。
【請求項４】
上記キャップの姿勢を検知するキャップ検知部、を更に備え、
上記制御機構は、上記シート検知部によって上記第１トレイにシートが載置されていることが検知されたときに、上記キャップ検知部によって上記キャップが上記第２姿勢であることが検知されたことを条件として、上記駆動源を正転又は逆転の他方へ駆動させることなく正転又は逆転の一方へ駆動させて、上記搬送ローラ対に当該シートをニップさせる請求項２に記載の画像記録装置。
【請求項５】
シートを保持する第２トレイ、を更に備え、
上記駆動機構は、
上記第２トレイに保持されたシートに当接して、上記第２トレイから上記搬送ローラ対へシートを給送可能な給紙ローラと、を備え、
上記機能実現動作は、
上記給送ローラによるシートの給送であり、
上記切換機構は、
先端に軸支された上記給紙ローラを回動させる給紙アームであって、上記給紙アームは、上記給紙ローラと上記第２トレイに保持されたシートが当接される第１状態と、上記給紙ローラと上記第２トレイに保持されたシートが離間される第２状態に姿勢変化する請求項１に記載の画像記録装置。
【請求項６】
上記シート検知部は、上記給紙ローラによって上記第２トレイから上記搬送ローラ対に給送されたシートの有無を検知するものである請求項５に記載の画像記録装置。
【発明の詳細な説明】
【技術分野】
【０００１】
本発明は、シートに画像を記録する画像記録装置に関し、特に、シートの搬送路に配設された搬送ローラ対にシートの先端をユーザが直接突き当てることが可能な画像記録装置に関する。
【背景技術】
【０００２】
従来より、ユーザが設定基準位置としての搬送ローラ対のニップ位置にシートを当接させることが可能な画像記録装置が公知である。このような画像記録装置として、特許文献１にはプリンタが開示されている。特許文献１に記載のプリンタにおいては、ユーザが用紙を手で用紙ガイドに沿わしながら搬送ローラ対のニップ位置に突き当てる。用紙挿入検知器の働きにより、制御回路部において用紙が挿入されたことが検知される。用紙の挿入が検知されると、制御回路部によって搬送ローラ対を駆動するモータ駆動部が動作され、用紙送りが実行される。
【０００３】
ユーザが搬送ローラ対のニップ位置にシートを当接させることが可能であると、シートが載置されるトレイから搬送ローラ対のニップ位置までシートを給送する給送ローラ（搬送ローラ対とは別のローラ）が不要となり、装置のコストダウンに寄与する。
【先行技術文献】
【特許文献】
【０００４】
【特許文献１】特開平４−３２９１６６号公報
【発明の概要】
【発明が解決しようとする課題】
【０００５】
また、搬送ローラ対を駆動させる駆動源と装置に搭載されている他の機構の駆動源とを共通の駆動源とした画像記録装置が公知である。
【０００６】
特許文献１に記載のプリンタにおいては、搬送ローラ対のニップ位置でシートがニップされる必要がある。シートをニップするため、ユーザが搬送ローラ対のニップ位置にシートを当接させた後に、搬送ローラ対が所定量（例えば数ミリ）の正転をする制御機構を画像記録装置に設けることが考えられる。
【０００７】
しかしながら、搬送ローラ対を駆動させる駆動源と装置に搭載されている他の機構の駆動源とを共通の駆動源とする構造が、特許文献１のような、ユーザが搬送ローラ対のニップ位置にシートを当接させることが可能な画像記録装置に採用されると、以下の問題が生じるおそれがある。搬送ローラ対に当接されたシートをニップするために搬送ローラ対が正転されると、搬送ローラ対と駆動源が共通である他の機構が本来駆動すべきでない状況で駆動されるおそれがある。
【０００８】
例えば、搬送ローラ対を駆動させる駆動源が、シートにインク滴を吐出するノズルからインクを吸引する吸引機構を駆動させる駆動源と共通であるとき、シートをニップするために搬送ローラ対が駆動される度に、吸引機構によってノズルからインクが吸引されてしまい、インクの消費量が多くなってしまう。搬送ローラ対を駆動させる駆動源が、トレイに保持されたシートを給送する給紙ローラと共通であるとき、シートをニップするために搬送ローラ対が駆動される度に、給紙ローラによってトレイから新たなシートが給送されてしまう。
【０００９】
本発明は、上記問題に鑑みてなされたものであり、その目的は、装置内の他の機構の駆動によって当該装置に悪影響を与えることなく、ユーザによって搬送ローラ対に当接されたシートを当該搬送ローラ対でニップすることが可能な画像記録装置を提供することにある。
【課題を解決するための手段】
【００１０】
(1)  本発明の画像記録装置は、シートが載置される第１トレイと、正逆転可能な駆動
源と、シートの搬送路に配設された搬送ローラ対であって、上記第１トレイに載置されるシートの先端をニップ可能な搬送ローラ対と、上記駆動源から駆動伝達されて当該装置の機能実現動作を行う駆動機構と、上記駆動源から駆動伝達されて上記駆動機構が上記機能実現動作を行う第１状態、及び上記駆動源から駆動伝達されても上記駆動機構が上記機能実現動作を行わない第２状態に切換可能な切換機構と、上記駆動源の正転又は逆転のいずれか一方の駆動を上記搬送ローラ対及び上記駆動機構へ伝達し、かつ他方の駆動を上記搬送ローラ対及び上記切換機構へ伝達する駆動伝達機構と、上記第１トレイに載置されたシートの有無を検知するシート検知部と、上記シート検知部によって上記第１トレイにシートが載置されていることが検知されたことを条件として、上記駆動源を正転又は逆転の他方へ駆動させて上記切換機構を第２状態に切り換えた後、上記駆動源を正転又は逆転の一方へ駆動させて上記搬送ローラ対に当該シートをニップさせる制御機構と、を具備する。
【００１１】
第１トレイに載置されたシートはシート検知部に検知される。この検知が制御機構によって確認されると、制御機構によって駆動源が正転又は逆転の他方へ駆動され、切換機構が第２状態に切り換えられる。その後、制御機構によって駆動源が正転又は逆転の一方へ駆動され、駆動機構が駆動される。駆動機構が駆動されても、切換機構が第２状態に切り換えられているため、駆動機構は機能実現動作を行わない。一方、搬送ローラ対においては、駆動源の一方への駆動が伝達されて、搬送ローラ対に当接されたシートがニップされる。なお、本発明の画像記録装置においては、駆動源からの正転または逆転の一方が、搬送ローラ対を構成するローラのうちの少なくとも片方のローラへ伝達されれば足り、必ずしも搬送ローラ対を構成するローラの両方へ伝達される必要はない。
【００１２】
(2)  本発明の画像記録装置は、ノズルからインク滴を吐出する記録ヘッドと、上記記
録ヘッドと密着して上記ノズルを覆う第１姿勢、及び上記記録ヘッドから離間する第２姿勢に姿勢変化するキャップと、を更に備えたものであってもよい。上記駆動機構は、上記キャップと連通されて上記ノズルからインクを吸引する吸引機構と、を備えたものであってもよい。上記機能実現動作は、上記吸引機構によるインクの吸引であり、上記切換機構は、上記キャップと上記吸引機構とが連通される第１状態と上記キャップと上記吸引機構との連通が遮断される第２状態とに切換可能なものである。
【００１３】
キャップが第１姿勢であると、ノズルがキャップに覆われて密閉されるため、吸引機構が駆動するとインクが吸引される。一方、キャップが第２姿勢であると、ノズルは密閉されないため、吸引機構が駆動してもインクは吸引されない。したがって、キャップが第１姿勢の状態のときにのみ、制御機構によって切換機構の状態を切り換える制御が実行される。
【００１４】
駆動源から吸引機構に駆動伝達されたときに、切換機構が第１状態であると、キャップと吸引機構が連通されているため、インクはノズルから吸引される。駆動源から吸引機構に駆動伝達されたときに、切換機構が第２状態であると、キャップと吸引機構との連通が遮断されているため、インクはノズルから吸引されない。
【００１５】
第１トレイに載置されたシートがシート検知部に検知され、かつキャップが第１姿勢であると、制御機構によって駆動源が他方へ駆動され、切換機構が第２状態に切り換えられ
る。その後、制御機構によって、駆動源が一方へ駆動されるが、切換機構が第２状態に切り換えられているので、記録ヘッドからインクが吸引されない。一方、搬送ローラ対においては、駆動源の一方への駆動が伝達されて、搬送ローラ対に当接されたシートがニップされる。以上より、無駄なインクの消費が防止されつつ、シートが搬送ローラ対によってニップされる。
【００１６】
(3)  本発明の画像記録装置は、上記切換機構の状態を検知する切換検知部、を更に備
えたものであってもよい。上記制御機構は、上記シート検知部によって上記第１トレイにシートが載置されていることが検知されたときに、上記切換検知部によって上記切換機構が上記第２状態であることが検知されたことを条件として、上記駆動源を正転又は逆転の他方へ駆動させることなく正転又は逆転の一方へ駆動させて、上記搬送ローラ対に当該シートをニップさせるものである。
【００１７】
上述の条件においては、切換機構は既に第２状態である。したがって、制御機構は、切換機構の切換のためには駆動源を駆動させない。つまり、制御機構は、駆動源を他方へ駆動させることなく一方へ駆動させる。したがって、搬送ローラ対にシートをニップさせる動作が迅速に実行される。
【００１８】
(4)  本発明の画像記録装置は、上記キャップの姿勢を検知するキャップ検知部、を更
に備えたものであってもよい。上記制御機構は、上記シート検知部によって上記第１トレイにシートが載置されていることが検知されたときに、上記キャップ検知部によって上記キャップが上記第２姿勢であることが検知されたことを条件として、上記駆動源を正転又は逆転の他方へ駆動させることなく正転又は逆転の一方へ駆動させて、上記搬送ローラ対に当該シートをニップさせるものである。
【００１９】
上述の条件においては、キャップが記録ヘッドから離間している。そのため、切換機構が第１状態（キャップと吸引機構とが連通されている状態）のときに吸引機構が駆動してもインクはノズルから吸引されない。つまり、切換機構が第２状態へ切り換えられなくても、無駄なインクの消費は防止される。したがって、制御機構は、切換機構の切換のためには駆動源を駆動させない。つまり、制御機構は、駆動源を他方へ駆動させることなく一方へ駆動させる。したがって、搬送ローラ対にシートをニップさせる動作が迅速に実行される。
【００２０】
(5)  上記画像記録装置は、シートを保持する第２トレイ、を更に備え、上記駆動機構
は、上記第２トレイに保持されたシートに当接して、上記第２トレイから上記搬送ローラ対へシートを給送可能な給紙ローラと、を備えたものであってもよい。上記機能実現動作は、上記給送ローラによるシートの給送であり、上記切換機構は、先端に軸支された上記給紙ローラを回動させる給紙アームであって、上記給紙アームは、上記給紙ローラと上記第２トレイに保持されたシートが当接される第１状態と、上記給紙ローラと上記第２トレイに保持されたシートが離間される第２状態に姿勢変化するものである。
【００２１】
駆動源が一方へ駆動されても、給紙アームが第２状態に切り換えられていると、給紙ローラと第２トレイに保持されたシートが離間されるのでシートが第２トレイから給送されない。一方、搬送ローラ対においては、駆動源の一方への駆動が伝達されて、搬送ローラ対に当接されたシートがニップされる。したがって、第２トレイからの誤ったシートの給送が回避されつつ、シートが搬送ローラ対によってニップされる。
【００２２】
(6)  上記シート検知部は、上記給紙ローラによって上記第２トレイから上記搬送ロー
ラ対に給送されたシートの有無を検知するものであってもよい。
【００２３】
第１トレイに載置され搬送ローラ対に当接しているシートの検知と、第２トレイに保持され給紙ローラによって搬送ローラ対に当接されたシートの検知が、同じシート検知部によって行われるため、装置に搭載される検知部を少なくすることができる。
【発明の効果】
【００２４】
本発明によれば、装置内の他の機構の駆動によって当該装置に悪影響を与えることなく、ユーザによって搬送ローラ対に当接されたシートを当該搬送ローラ対でニップすることが可能な画像記録装置を提供することが可能である。
【図面の簡単な説明】
【００２５】
【図１】図１は、本発明の実施形態の一例である複合機１０の外観斜視図である。
【図２】図２は、プリンタ部１１の内部構造を模式的に示す縦断面図である。
【図３】図３は、プリンタ部１１の内部構造を示す部分平面図である。
【図４】図４は、メンテナンスユニット８０の斜視図である。
【図５】図５は、パージ機構４４の断面図であり、（Ａ）にはキャップ４６がリフトアップされていない状態が示されており、（Ｂ）にはキャップ４６がリフトアップされた状態が示されている。
【図６】図６は、メンテナンスユニット８０の斜視図であって、ポート切換機構５９の外観を示す図である。
【図７】図７は、ポート切換機構５９の平面図であり、（Ａ）には吸気ポート９３が他のポート９４〜９８の何れとも連通されていない状態が示されており、（Ｂ）には吸気ポート９３とＢｋポート９５が連通されている状態が示されており、（Ｃ）には吸気ポート９３が他のポート９４〜９８の何れとも連通されていない状態が示されており、（Ｄ）には吸気ポート９３とＣｏポート９６が連通されている状態が示されている。
【図８】図８は、制御部１３０の構成を示すブロック図である。
【図９】図９は、制御部１３０によって行われるニップ制御の手順の一例を示すフローチャートである。
【図１０】図１０は、制御部１３０によって行われるニップ制御の手順の一例を示すフローチャートである。
【発明を実施するための形態】
【００２６】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。
【００２７】
図１は、本発明の実施形態に係る画像記録装置の一例としての複合機１０の外観を示す斜視図である。以下の説明においては、複合機１０が使用可能に設置された状態（図１の状態）を基準として上下方向７を定義し、操作パネル１２１が設けられている側を手前側（正面）として前後方向８を定義し、複合機１０を手前側（正面）から見て左右方向９を定義する。
【００２８】
複合機１０の上部に画像読取部１２、上面の前方側に操作パネル１２１、下部にインクジェット記録方式のプリンタ部１１が設けられている。複合機１０は、ファクシミリ機能、プリンタ機能、スキャナ機能、及びコピー機能などの各種の機能を有している。なお、本実施形態では、プリンタ機能として片面画像記録機能のみ有している複合機１０が説明されるが、複合機１０は両面画像記録機能を有していてもよい。
【００２９】
［画像読取部１２の構成］
画像読取部１２はプリンタ部１１の上部に配設されており、スキャナ部１２２を備えている。スキャナ部１２２は、フラットベッドスキャナ（ＦＢＳ：Flat Bed Scanner）及び
自動原稿搬送装置（ＡＤＦ：Automatic Document Feeder）として構成されているが、本
発明においてスキャナ部１２２は、原稿に記録された画像を読み取るものであれば任意の構成であるので、本明細書においては、その詳細な説明が省略される。
【００３０】
［操作パネル１２１の構成］
複合機１０の上面の前方側であって、スキャナ部１２２の正面側の上面には、プリンタ部１１やスキャナ部１２２を操作するための操作パネル１２１が設けられている。操作パネル１２１は、各種操作ボタンや液晶表示部から構成されている。複合機１０は、操作パネル１２１からの指示入力によって動作する。
【００３１】
［プリンタ部１１の構成］
図１に示されるように、プリンタ部１１は、正面及び背面に開口が形成されたケーシング（筐体）１４を有する。ケーシング１４内にプリンタ部１１の各構成要素が配設されている。プリンタ部１１の正面の開口（不図示）からケーシング１４の内部側へ連続するように収容室が区画されている。収容室に給紙カセット７８（本発明の第２トレイの一例、図２参照）が装着されている。給紙カセット７８は、正面の開口からケーシング１４内に前後方向８に挿抜可能に構成されている。給紙カセット７８は、各種サイズの記録用紙（本発明のシートの一例）を保持可能である。なお、本実施形態では、１つの給紙カセット７８のみを装着可能な複合機１０が説明されるが、複合機１０は複数の給紙カセット７８を装着可能であってもよい。
【００３２】
プリンタ部１１の背面１４Ａにおいて、スキャナ部１２２と給紙カセット７８の間の高さには、手差しトレイ２０（本発明の第１トレイの一例）が開閉可能に配置されている。図２において破線の矢印で示されるように、手差しトレイ２０は、基軸２１を回動中心軸として回転することで開閉される。図１には、手差しトレイ２０が閉じられた状態が示されている。図２には、手差しトレイ２０が開けられた状態が実線で、閉じられた状態が破線で示されている。手差しトレイ２０には、開けられた状態において各種サイズの記録用紙を載置可能である。プリンタ部１１の背面１４Ａにおいて、手差しトレイ２０の基端部（下方側の端部）に対向する位置には、背面の開口１３が設けられている。記録用紙は、複合機１０のユーザによって、手差しトレイ２０の用紙載置面に担持されつつ、背開口１３から前方に向けて挿入される。
【００３３】
次に、図２を参照しながら、プリンタ部１１の構成を更に詳しく説明する。図２では、給紙カセット７８の前方側（紙面右側）の図示が省略されている。プリンタ部１１は、給紙カセット７８に加えて、給紙カセット７８から記録用紙をピックアップして給紙（給送）する給送部１５と、給送部１５によって給紙された記録用紙にインク滴を吐出して記録用紙に画像を形成するインクジェット記録方式の記録部２４などを備えている。
【００３４】
［搬送路６５］
図２に示されるように、プリンタ部１１の内部には、給紙カセット７８及び手差しトレイ２０から記録部２４を経て排紙保持部７９に至る搬送路６５が形成されている。搬送路６５は、給紙カセット７８の先端（後方側の端部）から記録部２４に至る間に形成された湾曲路６５Ａと、手差しトレイ２０の先端（前方側の端部）から湾曲路６５Ａとの合流点６５Ｄに至る間に形成された搬送経路６５Ｂと、記録部２４から排紙保持部７９に至る間に形成された排紙路６５Ｃとに区分される。なお、排紙保持部７９は、給紙カセット７８と一体に構成されていてもよく、或いはプリンタ部１１のフレームなどに固定されたものであってもよい。
【００３５】
湾曲路６５Ａは、給紙カセット７８に設けられた分離傾斜板２２の上端付近から記録部２４に渡って延設された湾曲状の通路である。記録用紙は、給紙カセット７８から後方に
向けて搬送される。記録用紙は、装置の背面側において、湾曲路６５Ａによって装置の下方から上方へＵターンされる。その後、記録用紙は、前方に向けて搬送される。湾曲路６５Ａは、所定間隔を隔てて互いに対向する外側ガイド部材１８及び内側ガイド部材１９によって区画されている。なお、外側ガイド部材１８及び内側ガイド部材１９、更に、後述する第１下側ガイド部材１８０、第１上側ガイド部材１８１、第２上側ガイド部材１８２、第２下側ガイド部材１８３、第３上側ガイド部材１８４は、いずれも、図２の紙面垂直方向（図１の左右方向９）へ延びている。
【００３６】
搬送経路６５Ｂは、プリンタ１１の背開口１３から湾曲路６５Ａとの合流点６５Ｄに渡って延設された直線状の通路である。記録用紙は、背開口１３及び搬送経路６５Ｂを介して、第１搬送ローラ６０とピンチローラ６１（本発明の搬送ローラ対の一例）のニップ位置６０Ａに当接するように挿入される。搬送経路６５Ｂは、所定間隔を隔てて互いに対向する第１下側ガイド部材１８０及び第１上側ガイド部材１８１によって区画されている。第１上側ガイド部材１８１の搬送方向の下流側には、第２上側ガイド部材１８２が設けられている。ここで、搬送方向とは、記録用紙が搬送路６５を搬送される向き（図２において矢印付きの二点鎖線で示される向き）を指す。第２上側ガイド部材１８２は、第１上側ガイド部材８２の先端（前方側の端部）と合流点６５Ｄの上側近傍を結ぶように延設されており、手差しトレイ２０から挿入された記録用紙を、合流点６５Ｄを介してニップ位置６０Ａへ導く。なお、本実施形態では、第１下側ガイド部材１８０と外側ガイド部材１８は個別に形成されているが、両者は一体に形成されていてもよい。また、第１上側ガイド部材１８１と第２上側ガイド部材１８２は個別に形成されているが、両者は一体に形成されていてもよい。
【００３７】
排紙路６５Ｃは、記録部２４よりも搬送方向の下流側に設けられた第２下側ガイド部材１８３と第３上側ガイド部材１８４とによって区画されている。排紙路６５Ｃは、第２搬送ローラ６２によって搬送された画像記録済の記録用紙の下面を支持しつつ、搬送方向の下流側へ案内する。第３上側ガイド部材１８４は、第２下側ガイド部材１８３よりも上方に配置されている。第３上側ガイド部材１８４と第２下側ガイド部材１８３とは、記録用紙が通過可能な所定間隔を隔てて互いに対向するように配置されている。
【００３８】
［給送部１５］
給送部１５は、給紙カセット７８に収容された記録用紙を湾曲路６５Ａへ向けて搬送するためのものであり、給紙ローラ２５（本発明の給紙ローラの一例）と、給紙アーム２６（本発明の切換機構及び給紙アームの一例）と、給紙駆動伝達機構２７とを備えている。給紙ローラ２５は、給紙カセット７８の上側に配置されている。給紙ローラ２５は、給紙カセット７８に収容された記録用紙をピックアップして湾曲路６５Ａへ給紙するものであり、給紙アーム２６の先端に回転自在に軸支されている。給紙ローラ２５は、給紙用モータの回転力が給紙駆動伝達機構２７を介して伝達されると回転駆動される。なお、給紙駆動伝達機構２７は、給紙アーム２６に軸支されており、概ね給紙アーム２６の延出方向に沿って直線状に並ぶ複数のギヤで構成されている。給紙ローラ２５は、基軸２８を回動中心軸として回転し、給紙カセット７８に収容された記録用紙の上面に圧接可能である。
【００３９】
［レジストセンサ１１０］
湾曲路６５Ａには、給紙カセット７８から給紙され湾曲路６５Ａを搬送される記録用紙、又は、手差しトレイ２０から搬送経路６５Ｂを介して挿入される記録用紙の先端位置を検知するためのレジストセンサ１１０（本発明のシート検知部の一例）が設けられている。レジストセンサ１１０は、例えば、検出子１１２Ａ，１１２Ｂを有する回転体と、発光素子（例えば発光ダイオード）及びこの発光素子から発光された光を受光する受光素子（例えばフォトトランジスタ）を有するフォトインタラプタ等の光センサ１１１とにより構成されている。回転体は、支軸１１３を中心に回転可能に設けられている。検出子１１２
Ａは支軸１１３から湾曲路６５Ａへ突出している。回転体１１２に外力が加えられていない状態で、検出子１１２Ｂは光センサ１１１の発光素子から受光素子に至る光路に進入して、この光路を通る光を遮断している。
【００４０】
［記録部２４］
図３は、プリンタ部１１の内部構成を示す部分平面図である。記録部２４は、給紙カセット７８の上方に配置されている。図２及び図３に示されるように、記録部２４は、記録ヘッド３０（本発明の記録ヘッドの一例）を搭載して主走査方向へ往復動するキャリッジ３１を備えている。記録ヘッド３０には、インクカートリッジ（不図示）からインクチューブ３３を通じてシアン（Ｃ）・マゼンタ（Ｍ）・イエロー（Ｙ）・ブラック（Ｂｋ）の各色インクが供給される。ヘッドキャリッジ３１は主走査方向に延出されたガイドレール３５、３６に沿って往復動する。これにより、記録ヘッド３０が記録用紙に対して走査され、記録部２４の下方に設けられたプラテン３４上を搬送される記録用紙に画像記録が行われる。
【００４１】
図２に示されるように、記録ヘッド３０は、キャリッジ３１の下面側に露出されている。記録ヘッド３０のノズル面４８には、複数のノズル（不図示）が設けられている。各ノズルは、ＣＭＹＢｋの各色インクごとに設けられている。各ノズルから各色インクが微小なインク滴として吐出される。ノズルの左側又は右側には４つの排気孔（不図示）が設けられている。各排気孔は、ＣＭＹＢｋの各色インクに対応している。各排気孔は、記録ヘッド３０の内部に設けられた気泡貯留室（不図示）と連通されている。
【００４２】
湾曲路６５Ａの終端と記録部２４との間には、第１搬送ローラ６０及びピンチローラ６１が設けられている。これらは対をなしている。ピンチローラ６１は、第１搬送ローラ６０の下方に配置されており、図示しないバネなどの弾性部材によって第１搬送ローラ６０のローラ面に圧接されている。第１搬送ローラ６０及びピンチローラ６１は、湾曲路６５Ａ及び搬送経路６５Ｂを搬送してきた記録用紙を狭持してプラテン３４上へ送る。また、記録部２４と排紙路６５Ｃの始端との間には、第２搬送ローラ６２及び拍車ローラ６３が設けられている。これらは対をなしている。第２搬送ローラ６２及び拍車ローラ６３は、記録済みの記録用紙を狭持してさらに搬送方向の下流側（排紙保持部７９側）へ搬送する。
【００４３】
第１搬送ローラ６０及び第２搬送ローラ６２は、搬送用モータ７６（本発明の駆動源の一例、図８参照）から駆動伝達機構（本発明の駆動伝達機構の一例、不図示）を介して回転駆動力が伝達されて回転される。第１搬送ローラ６０及び第２搬送ローラ６２は、画像記録時に間欠駆動される。そのため、記録用紙は、所定の改行幅で送られながら画像記録がなされる。
【００４４】
［駆動伝達機構］
駆動伝達機構は、遊星ギヤなどから構成されており、搬送用モータ７６の正回転又は逆回転の一方の回転駆動力を後述するポンプ５４（本発明の駆動機構及び吸引機構の一例）に伝達し、一方の回転駆動力とは逆向きの他方の回転駆動力を後述するポート切換機構５９（本発明の切換機構の一例）に伝達する。なお、第１搬送ローラ６０及び第２搬送ローラ６２は、搬送用モータ７６の一方の回転駆動力によって、記録用紙を搬送方向の下流側へ搬送させる向きに回転し、搬送用モータ７６の他方の回転駆動力によって、記録用紙を搬送方向の上流側へ搬送させる向きに回転する
【００４５】
［メンテナンスユニット］
図３に示されるように、プラテン３４の左右方向９の両側の記録用紙が通過しない領域には、メンテナンスユニット８０が配設される。図４に示されるように、メンテナンスユ
ニット８０は、パージ機構４４と廃液タンク８１などを備えている。なお、図３では、廃液タンク８１は、ガイドレール３６の下方に配置されており、図に表れていない。
【００４６】
パージ機構４４は、記録ヘッド３０のノズル等からインクと共に気泡や異物を吸引除去する。図４及び図５に示されるように、パージ機構４４は、記録ヘッド３０のノズルを覆うキャップ４６（本発明のキャップの一例）と、記録ヘッド３０の排気孔を覆う排気キャップ５３と、キャップ４６または排気キャップ５３に接続されて吸引を行うポンプ５４と、キャップ４６および排気キャップ５３を記録ヘッド３０に接離させるためのリフトアップ機構５５（図５参照）と、ポンプ５４及び廃液タンク８１を接続するポンプチューブ８２などを有する。
【００４７】
キャップ４６は、ゴムにより構成されている。キャップ４６は、リフトアップ機構５５によりノズル面４８（図２参照）に密着し、ノズル面４８との間に空間を形成すると共にノズルを囲繞する。キャップ４６の内部は、カラーインク（ＣＭＹ）のノズルと黒インク（Ｂｋ）のノズルとに応じて２つの空間に区画されており、カラーインク及び黒インクに対応してそれぞれノズル面４８との間に空間が形成される。図示されていないが、キャップ４６の各空間の底部には吸気口が設けられており、各吸気口は、ポート切換機構５９を介してポンプ５４に接続されている。ポート切換機構５９については後述される。
【００４８】
排気キャップ５３もゴムにより構成されている。排気キャップ５３も上記ノズル面４８（図２参照）に密着し、記録ヘッド３０の排気孔を囲繞する。排気キャップ５３内には、ＣＭＹＢｋの各色インクの排気孔に対応した４つのプッシュロッド５０が鉛直上方に立設されている。プッシュロッド５０が排気孔に挿入されることにより、排気孔に設けられた逆止弁がリリーフされる。排気キャップ５３の底部には吸気口（不図示）が設けられており、この吸気口は、ポート切換機構５９を介してポンプ５４に接続されている。
【００４９】
ポンプ５４は、ロータリー式のチューブポンプである。本実施形態では、ポンプ５４は、内壁面を備えたケーシングと、この内壁面に沿って転動されるローラーとを有する。ポンプチューブ８２が上記ローラーと上記内壁面との間に配置され、ローラーが駆動される。これにより、ポンプチューブ８２が扱かれ、ポンプチューブ８２内のインクが上流側（キャップ４６及び排気キャップ５３の吸気口など）から下流側（廃液タンク８１）へ押し出される。
【００５０】
図５（Ａ）に示されるように、リフトアップ機構５５は、左右一対の等長リンク６４を備えている。この等長リンク６４が回動することによって、ホルダ９０が平行移動し、待機位置と密着位置との間で変位する。図５（Ａ）では、ホルダ９０は待機位置にあり、図５（Ｂ）では、ホルダ９０は密着位置にある。ホルダ９０は、鉛直上方へ突出された当接レバー９１を備えている。キャリッジ３１が図５において当接レバー９１を右方向に押圧することにより、ホルダ９０が密着位置に移動される。キャップ４６および排気キャップ５３は、ホルダ９０に搭載されている。キャップ４６および排気キャップ５３は、ホルダ９０が密着位置に移動されることにより、記録ヘッド３０のノズルの周囲および排気孔の周囲に密着され（本発明の第１姿勢に相当）、ホルダ９０が待機位置に移動されることにより、記録ヘッド３０から離間される（本発明の第２姿勢に相当）。なお、キャリッジ３１の移動はモータ（例えば、キャリッジ（ＣＲ）駆動用モータ３１１、図８参照）によって行われる。また、キャップ４６が第１姿勢及び第２姿勢へ姿勢変化されるのであれば、キャップ４６を姿勢変化させる構造は、上述したようなリフトアップ機構５５によって行われるものに限らない。
【００５１】
キャップ４６の近傍には、キャップ４６の姿勢を検知する位置検出センサ４６１（本発明のキャップ検知部の一例、図８参照）が設けられている。位置検出センサ４６１は、例
えば、キャップ４６の姿勢変化に対応して上下に摺動する摺動体と、発光素子（例えば発光ダイオード）及び当該発光素子から発光された光を受光する受光素子（例えばフォトトランジスタ）を有するフォトインタラプタ等の光センサとにより構成されている。摺動体は、キャップ４６が第１姿勢のときに、発光素子から受光素子に至る光路に位置して、当該光路を通る光を遮断する。当該遮断の有無によって、キャップ４６の姿勢が検知される。
【００５２】
［切換部］
ポート切換機構５９（図５及び図６参照）は、キャップ４６及び排気キャップ５３とポンプ５４とを、接続状態または遮断状態に切り換える。図６及び図７に示されるように、ポート切換機構５９は、６つのポート９３〜９８が設けられたカバー９９と、カバー９９の内部に配置された円盤状の切換部材９２とを備えている。切換部材９２は、搬送用モータ７６（図８参照）により回転され、上記各ポート９３〜９８を後述のように接続する。カバー９９は樹脂からなり、有底の円筒状に形成されている。カバー９９の底壁の中心に吸気ポート９３が形成されている。吸気ポート９３にポンプチューブ８２が接続されている。ポンプチューブ８２は、ポンプ５４及びチューブジョイント８２Ａを介して廃液タンク８１のチューブジョイント１０５に接続されている。
【００５３】
他の５つのポート９４〜９８は、カバー９９の側壁に周方向に所定の間隔を空けて設けられている。排気ポート９４は、チューブ１００を介して排気キャップ５３（図４参照）に連通している。Ｂｋポート９５はチューブ１０１を介してキャップ４６（図４参照）に連通している。具体的には、Ｂｋポート９５は、キャップ４６とノズル面４８との間に形成された黒インク用の空間に連通している。Ｃｏポート９６はチューブ１０２を介してキャップ４６（図４参照）に連通している。具体的には、Ｃｏポート９６は、キャップ４６とノズル面４８との間に形成されたカラーインク用の空間に連通している。大気ポート９７、９８は大気に開放されている。
【００５４】
メンテナンスユニット８０により記録ヘッド３０から吸引されたインクは、次のようにして廃液タンク８１に送られる。以下、図７に基づいて、インク吸引の処理手順について説明する。
【００５５】
キャリッジ３１がスライドされて当接レバー９１を右方向に押圧すると、ホルダ９０が密着位置に移動される。つまり、リフトアップ機構５５によりキャップ４６がノズル面４８に密着して両者間に空間が形成される。切換部材９２が駆動され、吸気ポート９３が他のポート９４〜９８の何れとも連通されていない状態となる（図７（Ａ））。つまり、キャップ４６とノズル面４８との間に形成される空間は、大気から遮断されると共にポンプ５４と非連通状態となる（本発明の第２状態に相当）。この状態で、ポンプ５４が駆動され、ポンプチューブ８２内に負圧がチャージされる。切換部材９２が駆動され、吸気ポート９３とＢｋポート９５が連通される（図７（Ｂ））。つまり、キャップ４６とノズル面４８との間に形成される空間のうち黒インクに対応する部分がポンプ５４に接続される（本発明の第１状態に相当）。その結果、キャップ４６とノズル面４８との間に形成される空間のうち黒インクに対応する部分に貯留されていた黒インクが、一気にポンプ５４側へ吸引される。吸引されたインクは、チューブポンプ８２を経て廃液タンク８１に吸収される。
【００５６】
切換部材９２が駆動され、吸気ポート９３が他のポート９４〜９８の何れとも連通されていない状態となる（図７（Ｃ））。つまり、キャップ４６とノズル面４８との間に形成される空間は、大気から遮断されると共にポンプ５４と非連通状態となる（本発明の第２状態に相当）。この状態で、ポンプ５４が駆動され、ポンプチューブ８２に内に負圧がチャージされる。切換部材９２が駆動され、吸気ポート９３とＣｏポート９６が連通される
（図７（Ｄ））。つまり、キャップ４６とノズル面４８との間に形成される空間のうちカラーインクに対応する部分がポンプ５４に接続される（本発明の第１状態に相当）。その結果、キャップ４６とノズル面４８との間に形成される空間のうちカラーインクに対応する部分に貯留されていたカラーインクが、一気にポンプ５４側へ吸引される。吸引されたインクは、チューブポンプ８２を経て廃液タンク８１に吸収される。その後、キャリッジ３１がスライドされて当接レバー９１から離れると、リフトアップ機構５５によりキャップ４６は第２姿勢へ復帰する。
【００５７】
図７（Ａ）に破線で示すように、切換部材９２の上部又は下部には、切換部材９２と一体に回転する回転体９２Ａが設けられている。回転体９２Ａには、、径方向外側へ向かって突出する凸部９２Ｂ、９２Ｃ、９２Ｄが設けられている。これら凸部９２Ｂ、９２Ｃ、９２Ｄは、回転体９２Ａの回転に対して位相が異なる位置に配置されており、各凸部９２Ｂ、９２Ｃ、９２Ｄの間は、回転体９２Ａの所定の回転角度だけ離間されている。また、回転体９２Ａの外周と対向する位置には、センサ９２Ｅが配置されている。センサ９２Ｅと凸部９２Ｂ、９２Ｃ、９２Ｄが対向する場合、センサ９２Ｅからオンの電気信号が出力され、センサ９２Ｅと凸部９２Ｂ、９２Ｃ、９２Ｄが対向しない場合、センサ９２Ｅからオフの電気信号が出力される。センサ９２Ｅの出力（オン／オフ）の周期によって、切換部材９２の回転位相が把握される。つまり、回転体９２Ａとセンサ９２Ｅは、本発明の切換検知部の一例である。
【００５８】
［制御部１３０］
以下、図８を参照して、制御部１３０の概略構成を説明する。制御部１３０が後述するフローチャートにしたがってニップ制御を行うことによって、本発明の制御機構が制御部１３０によって実現される。
【００５９】
制御部１３０は、複合機１０の全体動作を制御するものである。制御部１３０は、ＣＰＵ１３１、ＲＯＭ１３２、ＲＡＭ１３３、ＥＥＰＲＯＭ１３４、ＡＳＩＣ１３５を主とするマイクロコンピュータとして構成されている。これらは内部バス１３７によって接続されている。
【００６０】
ＲＯＭ１３２には、ＣＰＵ１３１が複合機１０の各種動作を制御するためのプログラムや、後述する状態判定処理を実行するためのプログラムなどが格納されている。ＲＡＭ１３３は、ＣＰＵ１３１が上記プログラムを実行する際に用いるデータや信号等を一時的に記録する記憶領域、或いはデータ処理の作業領域として使用される。ＥＥＰＲＯＭ１３４には、電源オフ後も保持すべき設定やフラグ等が格納される。
【００６１】
ＡＳＩＣ１３５には、光センサ１１１及び搬送用モータ７６などが接続されている。ＡＳＩＣ１３５には、搬送用モータ７６を制御する駆動回路が組み込まれている。ＣＰＵ１３１から上記駆動回路に搬送用モータ７６を回転させるための駆動信号が入力されると、駆動信号に応じた駆動電流が駆動回路から搬送用モータ７６へ出力され、これにより、搬送用モータ７６が所定の回転速度で正回転又は逆回転する。搬送用モータ７６の回転によって、切換部材９２、第１搬送ローラ６０及び第２搬送ローラ６２が回転する。
【００６２】
光センサ１１１は、受光素子で受けた光の強度に応じたアナログの電気信号（電圧信号又は電流信号）を出力する。出力された信号は、制御部１３０に入力されて、制御部１３０において、その電気的レベル（電圧値又は電流値）が所定の閾値以上であるかどうかが判断される。入力された信号が所定の閾値以上である場合にＨＩＧＨレベル信号と判定され、所定の閾値未満の場合にＬＯＷレベル信号と判定される。
【００６３】
［ニップ制御］
上述の如く構成されたプリンタ部１１においては、ニップ位置６０Ａに当接している記録用紙を、第１搬送ローラ６０とピンチローラ６１の間に挟持させるニップ制御が制御部１３０によって行われる。以下、図９のフローチャートに基づいて、ニップ制御の処理手順について説明する。このニップ制御は、例えば、給紙ローラ２５や第１搬送ローラ６０等が駆動していない待機状態（給紙カセット７８からの給紙命令、及び、印刷命令等が制御部１３０によって指示されていない状態）で、レジストセンサ１１０によって記録用紙が検知された場合に実行される処理である。なお、以下の説明においては、説明の便宜上、搬送用モータ７６が正回転された場合に、記録用紙が搬送方向の下流側へ搬送され、且つパージ機構４４によってインクが記録ヘッド３０のノズル等から吸引されるものとし、搬送用モータ７６が逆回転された場合に、記録用紙が搬送方向の上流側へ搬送され、且つポート切換機構５９によってキャップ４６とポンプ５４とが接続状態または遮断状態に切り換えられるものとする。
【００６４】
待機状態において、複合機１０のユーザによって、記録用紙が、手差しトレイ２０に載置されつつ、ニップ位置６０Ａに当接するように挿入されると、当該記録用紙の先端部分が、レジストセンサ１１０によって検知される（Ｓ１０）。
【００６５】
ステップＳ１０において、レジストセンサ１１０によって記録用紙の先端部分が検知されると、制御部１３０は次の処理を実行するまで所定時間（例えば２秒）だけ待機する（Ｓ２０）。その後、複合機１０が記録用紙の斜行矯正機能を有した装置である場合には（Ｓ３０）、挿入された記録用紙の斜行矯正が実行される（Ｓ４０）。具体的には、制御部１３０によって搬送用モータ７６が所定位相量だけ逆回転され、ニップ位置６０Ａに斜めに挿入された記録用紙がニップ位置６０Ａから挿入された状態を脱し、その後、記録用紙の自重により斜行が矯正された状態でニップ位置６０Ａに当接する。
【００６６】
また、搬送用モータ７６が逆回転されることによって、ポート切換機構５９が駆動される。当該駆動によって、吸気ポート９３が他のポート９４〜９８の何れとも連通されていない状態、つまり図７（Ａ）に示される第２状態となる（Ｓ５０）。
【００６７】
ステップＳ３０において、複合機１０が記録用紙の斜行矯正機能を有していない装置である場合には、ポート切換機構５９の切換部材９２が第２状態であるか否かが回転体９２Ａ及びセンサ９２Ｅによって検知される（Ｓ６０）。切換部材９２が第２状態でないと検知された場合には、キャップ４６が記録ヘッド３０から離間された第２姿勢であるか否かが位置検出センサによって検知される（Ｓ７０）。キャップ４６が第２姿勢でないと検知された場合には、ポート切換機構５９が第２状態に移行される（Ｓ５０）。
【００６８】
ステップＳ６０において切換部材９２が第２状態であると検知された場合、ステップＳ７０においてキャップ４６が第２姿勢であると検知された場合、又はステップＳ５０においてポート切換機構５９が第２状態に移行された後に、制御部１３０によってニップ処理が実行される（Ｓ８０）。具体的には、制御部１３０によって搬送用モータ７６が所定位相量だけ正回転され、ニップ位置６０Ａに当接されていた記録用紙が、当該正回転の分だけ第１搬送ローラ６０とピンチローラ６１の間に挟持される。
【００６９】
その後、手差しトレイ２０に載置された記録用紙が正常にニップされた、つまり正常に給紙された旨が、制御部１３０によってユーザに通知される（Ｓ９０）。例えば、その旨のメッセージが操作パネル１２１の液晶表示部に表示される。
【００７０】
［実施形態の効果］
手差しトレイ２０に載置された記録用紙はレジストセンサ１１０に検知される。この検知が制御部１３０によって確認されると、制御部１３０によって搬送用モータ７６が正転
又は逆転の他方へ駆動され、ポート切換機構５９が第２状態（吸気ポート９３が他のポート９４〜９８の何れとも連通されていない状態）に切り換えられる。その後、制御部１３０によって搬送用モータ７６が正転又は逆転の一方へ駆動され、ポンプ５４が駆動される。ポンプ５４が駆動されても、吸気ポート７６が他のポート９４〜９８の何れとも連通されていないため、ポンプ５４によってインクは吸引されない。一方、第１搬送ローラ６０とピンチローラ６１においては、搬送用ローラ７６の一方への駆動が伝達されて、第１搬送ローラ６０とピンチローラ６１に当接された記録用紙がニップされる。
【００７１】
キャップ４６が第１姿勢であると、ノズルがキャップ４６に覆われて密閉されるため、ポンプ５４が駆動するとインクが吸引される。一方、キャップ４６が第２姿勢であると、ノズルは密閉されないため、ポンプ５４が駆動してもインクは吸引されない。したがって、キャップ４６が第１姿勢の状態のときにのみ、制御部１３０によってポート切換機構５９の状態を切り換える制御が実行される。
【００７２】
搬送用モータ７６からポンプ５４に駆動伝達されたときに、ポート切換機構５９が第１状態であると、キャップ４６とポンプ５４が連通されているため、インクはノズルから吸引される。搬送用モータ７６からポンプ５４に駆動伝達されたときに、ポート切換機構５９が第２状態であると、キャップ４６とポンプ５４との連通が遮断されているため、インクはノズルから吸引されない。
【００７３】
手差しトレイ２０に載置された記録用紙がレジストセンサ１１０に検知され、かつキャップ４６が第１姿勢であると、制御部１３０によって搬送用モータ７６が他方へ駆動され、ポート切換機構５９が第２状態に切り換えられる。その後、制御部１３０によって、搬送用モータ７６が一方へ駆動されるが、ポート切換機構５９が第２状態に切り換えられているので、記録ヘッド３０からインクが吸引されない。一方、第１搬送ローラ６０とピンチローラ６１においては、搬送用ローラ７６の一方への駆動が伝達されて、第１搬送ローラ６０とピンチローラ６１に当接された記録用紙がニップされる。以上より、無駄なインクの消費が防止されつつ、記録用紙が第１搬送ローラ６０とピンチローラ６１によってニップされる。
【００７４】
回転体９２Ａ及びセンサ９２Ｅによってポート切換機構５９が第２状態であることが検知されているときには、制御部１３０は、ポート切換機構５９を第１状態から第２状態へ切り換えるために搬送用モータ７６を駆動させない。つまり、制御部１３０は、搬送用モータ７６を他方へ駆動させることなく一方へ駆動させる。したがって、第１搬送ローラ６０とピンチローラ６１に記録用紙をニップさせる動作が迅速に実行される。
【００７５】
位置検出センサによってキャップ４６が第２姿勢であることが検知されたときには、キャップ４６が記録ヘッド３０から離間している。そのため、ポート切換機構５９が第１状態のときにポンプ５４が駆動してもインクはノズルから吸引されない。つまり、ポート切換機構５９が第２状態へ切り換えられなくても、無駄なインクの消費は防止される。したがって、制御部１３０は、ポート切換機構５９を第２状態へ切り換えるためには搬送用モータ７６を駆動させない。つまり、制御部１３０は、搬送用モータ７６を他方へ駆動させることなく一方へ駆動させる。したがって、第１搬送ローラ６０とピンチローラ６１に記録用紙をニップさせる動作が迅速に実行される。
【００７６】
［実施形態の変形例］
上述の実施形態では、駆動機構はポンプ５４によって構成され、切換機構はポート切換機構５９によって構成される形態について説明したが、駆動機構は給紙ローラ２５によって構成され、切換機構は給紙アーム２６によって構成されていてもよい。
【００７７】
この実施形態の場合、搬送用モータ７６の駆動力が給紙アーム２６に伝達される。給紙アーム２６は、搬送用モータ７６の正回転又は逆回転の一方の回転駆動力とは逆向きの他方の回転駆動力によって、基軸２８を回動中心軸として回転する。その結果、給紙アーム２６は、給紙ローラ２５が給紙カセット７８に収容された記録用紙に当接する第１状態と、給紙ローラ２５が当該記録用紙から離間する第２状態に切り換えられる。
【００７８】
また、給紙アーム２６の状態を検知するアーム状態検出センサ（不図示）が設けられている。アーム状態検出センサは、例えば上述したキャップ４６の姿勢を検知する位置検出センサと同様の構成である。なお、上述の実施形態においては、切換機構（ポート切換機構５９）が第２状態であるか否かは、センサ９２Ｅによって検知されたが、この実施形態においては、切換機構（給紙アーム２６）が第２状態であるか否かは、アーム状態検出センサによって検知される。つまり、上述の実施形態におけるセンサ９２Ｅの役割は、この実施形態においてはアーム状態検出センサによって果たされる。
【００７９】
この実施形態の場合、プリンタ部１１においては、図１０に示される手順にしたがって、ニップ制御が制御部１３０によって行われる。以下、図１０のフローチャートに基づいて、ニップ制御の処理手順について説明する。なお、図９に示される各手順と同じ手順については、その説明を省略する。
【００８０】
ステップＳ２１０からＳ２５０の処理は、図９におけるステップＳ１０からＳ５０の処理と同様である。ステップＳ２３０において、複合機１０が記録用紙の斜行矯正機能を有していない装置である場合には、給紙アーム２６が第２状態であるか否かがアーム状態検出センサによって検知される（Ｓ２６０）。給紙アーム２６が第２状態でないと検知された場合には、給紙アーム２６が第２状態に移行される（Ｓ２５０）。ステップＳ２６０において切換部材９２が第２状態であると検知された場合、又はステップＳ２５０において給紙アーム２６が第２状態に移行された後に、制御部１３０によってニップ処理が実行される（Ｓ２８０）。ステップＳ２８０及びＳ２９０の処理は、図９におけるステップＳ８０及びＳ９０の処理と同様である。
【００８１】
搬送用モータ７６が一方へ駆動されても、給紙アーム２６が第２状態に切り換えられていると、給紙ローラ２５と給紙カセット７８に保持された記録用紙とが離間されるので記録用紙が給紙カセット７８から給送されない。一方、第１搬送ローラ６０とピンチローラ６１においては、搬送用モータ７６の一方への駆動が伝達されて、第１搬送ローラ６０とピンチローラ６１に当接された記録用紙がニップされる。したがって、給紙カセット７８からの誤った記録用紙の給送が回避されつつ、記録用紙が第１搬送ローラ６０とピンチローラ６１によってニップされる。
【００８２】
手差しトレイ２０に載置され第１搬送ローラ６０とピンチローラ６１に当接している記録用紙の検知と、給紙カセット７８に保持され給紙ローラ２５によって第１搬送ローラ６０とピンチローラ６１に当接された記録用紙の検知が、同じレジストセンサ１１０によって行われるため、複合機１０に搭載されるレジストセンサ１１０などの記録用紙を検知する手段を少なくすることができる。
【符号の説明】
【００８３】
１０・・・複合機
１１・・・プリンタ部
２０・・・手差しトレイ
５４・・・ポンプ
５９・・・ポート切換機構
１１０・・・レジストセンサ
１３０・・・制御部
【図１】
2014000827.tif 000003
【図２】
2014000827.tif 000004
【図３】
2014000827.tif 000005
【図４】
2014000827.tif 000006
【図５】
2014000827.tif 000007
【図６】
2014000827.tif 000008
【図７】
2014000827.tif 000009
【図８】
2014000827.tif 000010
【図９】
2014000827.tif 000011
【図１０】
2014000827.tif 000012
【手続補正書】
【提出日】平成25年10月25日(2013.10.25)
【手続補正１】
【補正対象書類名】特許請求の範囲
【補正対象項目名】全文
【補正方法】変更
【補正の内容】
【特許請求の範囲】
【請求項１】
手差しトレイと、
手差しトレイを介して手差しされるシートをニップして搬送する搬送ローラ対と、
上記搬送ローラ対に搬送されたシートにインクを吐出する記録ヘッドと、
上記搬送ローラ対を駆動する駆動源と、
上記駆動源から駆動伝達されて、上記記録ヘッドからインクを吸引可能な吸引状態及び非吸引状態に変化する吸引機構と、
制御部と、を具備し、当該制御部は、
上記駆動源を駆動させて上記吸引機構を上記非吸引状態にした後、上記駆動源を駆動させて上記搬送ローラ対に上記手差しトレイを介して手差しされたシートの先端部分をニップさせるニップ処理を実行する画像記録装置。
【請求項２】
上記搬送ローラ対は、上記駆動源が一方向に駆動すると手差しされるシートの斜行を矯正し、上記駆動源が他方向に駆動するとシートをニップして上記記録ヘッドに向けてシートを搬送する請求項１に記載の画像記録装置。
【請求項３】
上記制御部は、上記ニップ処理において、上記吸引機構を上記非吸引状態にすると共に、上記シートの斜行を矯正する処理を実行する請求項２に記載の画像記録装置。
【請求項４】
上記吸引機構は、
上記駆動源が正転及び逆転のいずれか一方に駆動すると、上記記録ヘッドからインクを吸引するポンプと、
上記駆動源が正転及び逆転のいずれか他方に駆動すると、上記ポンプによって上記記録ヘッドからインクを吸引する上記吸引状態と上記ポンプが駆動しても上記記録ヘッドからインクを吸引しない上記非吸引状態とを切換える切換機構と、を具備する請求項１から３のいずれかに記載の画像記録装置。
【請求項５】
手差しトレイと、
手差しトレイを介して手差しされるシートをニップして搬送する搬送ローラ対と、
上記搬送ローラ対を駆動する駆動源と、
上記駆動源から駆動伝達されて、給紙トレイが支持するシートを上記搬送ローラ対に向けて給紙可能な給紙状態及び非給紙状態に変化する給紙機構と、
制御部と、を具備し、当該制御部は、
上記駆動源を駆動させて上記給紙機構を上記非給紙状態にした後、上記駆動源を駆動させて上記搬送ローラ対に上記手差しトレイを介して手差しされたシートの先端部分をニップさせるニップ処理を実行する画像記録装置。
【請求項６】
上記搬送ローラ対にニップされた状態で搬送されたシートにインクを吐出する記録ヘッドを具備し、
上記搬送ローラ対は、上記駆動源が一方向に駆動すると手差しされるシートの斜行を矯正し、上記駆動源が他方向に駆動するとシートをニップして上記記録ヘッドに向けてシートを搬送する請求項５に記載の画像記録装置。
【請求項７】
上記制御部は、上記ニップ処理において、上記給紙機構を上記非給紙状態にすると共に、上記シートの斜行を矯正する処理を実行する請求項６に記載の画像記録装置。
【請求項８】
上記給紙機構は
給紙ローラと、
回動先端にて支持する上記給紙ローラが、給紙トレイが支持するシートに当接する状態と、離間する状態との間で回動するアームと、を具備し、
更に上記駆動源が正転及び逆転のいずれか一方に駆動すると、上記給紙ローラが、上記給紙トレイが支持するシートを給紙可能な上記給紙状態と、上記駆動源が正転及び逆転のいずれか他方に駆動すると、上記給紙ローラが、上記給紙トレイが支持するシートを給紙しない上記非給紙状態に変化する請求項５から７のいずれかに記載の画像記録装置。
【請求項９】
上記制御部は、上記搬送ローラ対が駆動していない待機状態において上記ニップ処理を実行する請求項１から８のいずれかに記載の画像記録装置。
【請求項１０】
上記手差しトレイ及び上記搬送ローラ対の間の検知箇所にシートが有る場合に検知信号を出力するシート検知部を更に具備し、
上記制御部は、上記待機状態において、上記シート検知部が上記検知信号を出力したら、上記ニップ処理を実行する請求項９に記載の画像記録装置。
【請求項１１】
上記制御部は、上記ニップ処理を実行後に、ユーザへの通知をする通知処理を実行する請求項１から１０のいずれかに記載の画像記録装置。